(57)【特許請求の範囲】
【請求項１】
モダリティから撮影された患者の撮影医療画像または該撮影医療画像の後処理医療画像を入力する画像入力手段と、該医療画像毎にまたは該後処理医療画像毎に関連する検査情報と患者情報とを配列して検査一覧画面を生成する制御手段と、該生成された検査一覧画面を表示する表示手段と、を備え、
該制御手段は、該医療画像に対し、第１の検者による検像が済んでいるか否かを表わす第１の検査ステータス情報と、検像された該医療画像に対して第２の検者による閲覧がなされるものであるか否かを表わす第２の検査ステータス情報と、未検像の医療画像が供給されてからの経過時間を示す第３の検査ステータス情報と、を該検査情報として生成し、かつ該検査情報と該患者情報とを共に一つの指定可能な領域内に患者欄として生成し、該患者欄の少なくとも一つを指定することにより対応する該医療画像を該表示手段に表示可能であり、
該制御手段は、該医療画像の検像の緊急指示を受け付けると、次に検像が行われる位置に拡大フォーカス表示した割り込み患者欄を表示し、かつ、該割り込み患者欄に検像処理すべき期限時間を該表示手段に表示することを特徴とする医療情報のステータス表示装置。
【請求項２】
前記制御手段は、前記第１の検査ステータス情報として、未検像あるいは検像済みを示すマークを生成し、前記第２の検査ステータス情報として、未閲覧あるいは閲覧済みを示すマークを生成することを特徴とする請求項１に記載の医療情報のステータス表示装置。
【請求項３】
前記制御手段は、前記第１の検査ステータス情報として、検査済みの医療画象に対してのみに付されるマークを生成し、前記第２の検査ステータス情報として、閲覧済みの医療画象に対してのみに付されるマークを生成することを特徴とする請求項１に記載の医療情報のステータス表示装置。
【請求項４】
前記制御手段は、前記第２の検査ステータス情報として、前記医療画像が閲覧済みの前記患者欄の背景を第１の表示形態で表示する表示形態情報を生成し、前記第１の検査ステータス情報として、前記医療画像が検像済みで、かつ未閲覧の前記患者情報の欄での背景を該第１の表示形態とは異なる第２の表示形態情報を生成することを特徴とする請求項１に記載の医療情報のステータス表示装置。
【請求項５】
前記制御手段は、前記第２の検査ステータス情報として、さらに、第２の検者に関する情報を生成し、該生成された第２の検者に関する情報を前記表示手段に表示することを特徴とする請求項１〜４のいずれか１つに記載の医療情報のステータス表示装置。
【請求項６】
前記患者欄は、前記検査情報である前記第１の検査ステータス情報、前記第２の検査ステータス情報、及び前記第３の検査ステータス情報が並んで表示されることを特徴とする請求項１〜５のいずれか１つに記載の医療情報のステータス表示装置。
【請求項７】
前記制御手段は、前記経過時間を示す情報を前記患者欄での前記患者情報が表示されるエリア内で長さが変化するバーで表示されることを特徴とする請求項６に記載の医療情報のステータス表示装置。
【請求項８】
患者の所定部位の医療画像を撮影するモダリティと、該モダリティによって撮影された医療情報を検像する検像端末と、該検像端末によって検像された該医療画像を、検像済み医療画像として、保持する画像サーバと、第２の検者によって使用され、該画像サーバに保持された該検像済み医療画像を閲覧するための画像ビューアとからなる医療検査システムであって、
該検像端末は、請求項１〜７のいずれか１つに記載の医療情報のステータス表示装置であることを特徴とする医療検査システム。
【発明の詳細な説明】
【技術分野】
【０００１】
本発明は、Ｘ線撮影装置やＣＴ，ＭＲＩなどのモダリティ（医療画像機器）で得られた医療画像などの医療情報を表示する表示装置に係り、特に、かかる医療情報の検査技師（第１の検者）による確認，修正，加工などの検像や医師による読影を含む閲覧といった状況（ステータス）を表示するようにした医療情報のステータス表示装置とこれを用いた医療検査システムに関する。
【背景技術】
【０００２】
病院や診療所などの医療機関では、読影医師や診察医師などの担当医師（第２の検者）が患者や検診者の医療画像を読影あるいは閲覧するための医療検査システムが設けられている。かかる医療検査システムでは、検査技師の操作により、モダリティで生成された患者や検診者の所定部位の医療画像が生成され、この医療画像が、未検像医療画像として、検像装置に供給される。この検像装置では、この未検像医療画像が表示され、検査技師により、その内容の確認や担当医師医の読影に適した修正などの検像が行なわれる。また、この未検像医療画像に該当する患者や検診者の情報の確認や修正といった処理が行なわれる場合もある。このようにして検像された医療画像や患者・検診者の情報は、検像済み医療画像として、画像サーバに保管される。この画像サーバに保管された検像済み医療情報は担当医師の要求に応じて読み出され、画像ビューアに供給されて表示され、担当医師によって読影される。また、供給される未検像医療画像に関するデータリスト（未検像リスト）が表示画面に表示されるが、未検像医療画像が検像されると、これに対するデータが未検像リストから抹消される（例えば、特許文献１参照）。
【特許文献１】特開２００６ー９４９５７号公報
【発明の開示】
【発明が解決しようとする課題】
【０００３】
ところで、上記特許文献１に記載の技術では、未検像状態の医療画像が検像されると、これに対するデータが未検像リストから抹消されるものであるから、検査技師は、医療画像がどの位検像／未検像であるかを把握することができないという未解決の問題があった。
【０００４】
本発明の目的は、かかる問題を解消し、モダリティで撮影された医療画像の処理状況を容易に把握でき、医師の読影作業を円滑に行なうことを可能とした医療情報のステータス表示装置とこれを用いた医療検査システムを提供することにある。
【課題を解決するための手段】
【０００５】
上記目的を達成するために、本発明の医療情報のステータス表示装置は、モダリティから撮影された患者の撮影医療画像または該撮影医療画像の後処理医療画像を入力する画像入力手段と、該医療画像毎にまたは該後処理医療画像毎に関連する検査情報と患者情報とを配列して検査一覧画面を生成する制御手段と、該生成された検査一覧画面を表示する表示手段と、を備え、該制御手段は、該医療画像に対し、第１の検者による検像が済んでいるか否かを表わす第１の検査ステータス情報と、検像された該医療画像に対して第２の検者による閲覧がなされるものであるか否かを表わす第２の検査ステータス情報と、未検像の医療画像が供給されてからの経過時間を示す第３の検査ステータス情報と、を該検査情報として生成し、かつ該検査情報と該患者情報とを共に一つの指定可能な領域内に患者欄として生成し、該患者欄の少なくとも一つを指定することにより対応する該医療画像を該表示手段に表示可能であり、該制御手段は、該医療画像の検像の緊急指示を受け付けると、次に検像が行われる位置に拡大フォーカス表示した割り込み患者欄を表示し、かつ、該割り込み患者欄に検像処理すべき期限時間を該表示手段に表示することを特徴とする。
【０００６】
上記目的を達成するために、本発明は、患者の所定部位の医療画像を撮影するモダリティと、該モダリティによって撮影された医療情報を検像する検像端末と、該検像端末によって検像された該医療画像を、検像済み医療画像として、保持する画像サーバと、第２の検者によって使用され、該画像サーバに保持された該検像済み医療画像を閲覧するための画像ビューアとからなる医療検査システムであって、該検像端末は、上記記載の医療情報のステータス表示装置であることを特徴とするものである。
【発明の効果】
【０００７】
本発明によれば、医療画像の検像の緊急指示を受け付けると、次に検像が行われる位置に拡大フォーカス表示した割り込み患者欄を表示し、割り込み患者欄に検像処理すべき期限時間を表示手段に表示する機能が制御手段により持たされるため、他の患者欄との差異が一目で分かるので視認性が向上し、しかも緊急性の高さだけでなく、いつまでに対応すべきかを確認できることにより、緊急に検像処理すべき未検像医療画像があることを検査者に明確に知らせ、検査者がこれに即座に対応することが可能となる。
【発明を実施するための最良の形態】
【０００８】
以下、本発明の実施形態を図面を用いて説明する。
【０００９】
図１は本発明による医療検査システムの一実施形態を示すシステム構成図であって、１はモダリティ、２は画像ワークステーション、３は本発明による医療情報のステータス表示装置としての検像端末、３ａ，３ｂは画像表示装置、４は画像サーバ、５は画像ビューア、６はネットワークである。
【００１０】
同図において、この医療検査システムは検査技師が患者や検診者（以下、これらをまとめて患者という）を撮影して医療画像を作成し、読影医師などがこの医療画像を参照して診察のための読影を含む閲覧を行なうことができるようにしたシステムであって、レントゲンなどのＸ線撮影装置，ＣＴあるいはＭＲＩなどの医療画像機器であって、患者の所定部位を撮影して撮影医療画像を作成するモダリティ１と、モダリティ１で作成された撮影医療画像を基に、３次元（立体）画像処理やPerfusion解析などの処理を行なった医療画像（以下、後処理医療画像という）を生成する画像ワークステーション２と、モダリティ１からの撮影医療画像や画像ワークステーション２からの後処理医療画像を、未検像医療画像として、受信し、かかる未検像医療画像の内容確認や修正，加工などの検像をし、これに関連する患者情報の確認や修正、及び医療画像の検像や読影（医師が検像された医療画像を観察して診療すること）、あるいは、閲覧の有無を表わす検査情報の作成，更新といった患者情報や検査情報，医療画像情報の精査を行なう検像端末３と、検像端末３で未検像医療画像を検像して担当の読影医師や診療医（以下、読影医師として説明する）が用いることができるようにした医療画像（以下、検像済み医療画像という）と患者情報（以下、これらをまとめて医療情報という）とを関連付けて保管・管理する画像サーバ４と、画像サーバ４から所定の医療情報を取得し、その検像済み医療情報を参照して読影医師が読影あるいは閲覧（以下、これらをまとめて、閲覧という）を行なうための画像ビューア５とがネットワーク６を介して相互に接続された構成をなしている。ここで、モダリティ１と画像ワークステーション２と検像端末３は検査技師室に設置されて検査技師によって使用され、画像ビューア５は担当の読影医師の読影室に設置されて読影医師によって使用される。
【００１１】
検査技師によってモダリティ１が操作されて患者の撮影対象部位が撮影されると、その撮影医療画像が、直接検像端末３に、あるいは、撮影対象部位または読影医師の要求に応じて画像ワークステーション２に転送され、後処理医療画像が生成されて検像端末３に供給される。
【００１２】
検像端末３は２つの画像表示装置３ａ，３ｂを備えており、一方の画像表示装置３ａでは、供給された撮影医療画像と後処理医療画像毎に、患者情報や、検像，閲覧の有無（検像／閲覧状況）を示す検査情報のリストを表わす画面（以下、検査一覧画面という）が表示され、この検査一覧画面では、そのリストの中から、検像前の撮影医療画像や後処理医療画像を選択することができる。他方の画像表示装置３ｂは、この検査一覧画面で選択された撮影医療画像や後処理医療画像を、検像するために、表示するものである。この検像端末３で撮影医療画像や後処理医療画像が検像されると、自動的に医療画像として画像サーバ４に送られ、保管・管理され、これとともに、表示装置３ａで表示される検査一覧画面では、検像された撮影医療画像あるいは後処理医療画像の検査情報が、未検像の状況から検像の状況に更新される。
【００１３】
読影医師が読影室で所望の医療画像を指定する操作をすると、画像サーバ４からこの指定された医療画像が該当する患者情報とともに読み出され、ネットワーク６を介して画像ビューア５に転送される。この読み出された医療画像と患者情報とが画像ビューア５に表示され、これにより、読影医師がこの医療画像を閲覧することができる。なお、このように、医療画像が画像サーバ４から読み出されて画像ビューア５に転送されるときには、この画像サーバ４、または、画像ビューア５から検像端末３にこの旨を表わす通知情報がネットワーク６を介して検像端末３に転送され、検像端末３では、この通知を受けると、この通知情報を受けた医療画像に対する検査情報が、検像の状況から閲覧の状況に更新される。
【００１４】
図２は図１における検像端末３としての本発明による医療情報のステータス表示装置の一実施形態を示すブロック構成図であって、１０はＣＰＵ（Central Processing Unit：中央処理部）、１１は主メモリ、１２は磁気ディスク、１３は通信制御部、１４，１５は表示メモリ、１６，１７は表示部、１８はコントローラ、１９はマウス、２０はキーボード、２１はスピーカ、２２は内部バスであり、図１に対応する部分には同一符号をつけて重複する説明を省略する。
【００１５】
同図において、検像端末３は、上記のように、検査技師が未検像医療画像を検像処理し、また、各医療画像の状況を管理するためのものであって、各部を制御するＣＰＵ１０と、ＣＰＵ１０が全体の制御を実行するための制御プログラムや画面表示などのための各種アプリケーションプログラムが格納された主メモリ１１と、表示部１６，１７で表示される画面のレイアウトやこのレイアウトに付加される患者情報や検査情報などのデータ及び各患者情報に該当する未検像医療画像が格納される磁気ディスク１２と、ネットワーク６に接続されて通信制御を行なう通信制御部１３と、表示用の画像情報を一時記憶する表示メモリ１４，１５と、表示メモリ１４に記憶されている画像情報を用いて画像表示を行なう表示部１６と、表示メモリ１４ｂに記憶されている画像情報を用いて画像表示を行なう表示部１７と、表示部１６，１７の表示画面を操作するためのマウス１９及びコントローラ１８と、各種パラメータ設定用の操作キーや操作スイッチを備えたキーボード２０と、スピーカ２１とが内部バス２２を介して相互に接続された構成をなしている。
【００１６】
ここで、表示メモリ１４と表示部１６とは、図１での画像表示装置３ａを構成しており、表示メモリ１５と表示部１７とは、図１での画像表示装置３ａを構成している。
【００１７】
なお、表示部１６，１７の表示画面にタッチパネルが設けられていてもよく、この場合には、表示部１６，１７の表示画面でのタッチ操作により、マウス１９やキーボード２０の代わりに必要なデータを入力することができる。また、情報の記憶媒体として、磁気ディスク１２の代わりに、あるいは磁気ディスク１２とともに、ＣＤ−ＲＯＭや光磁気ディスクなどの他の記憶媒体を用いることもできる。
【００１８】
かかる構成において、モダリティ１や画像ワークステーション２からネットワーク６を介して供給される未検像医療画像のデータは通信制御部１３で受信され、磁気ディスク１２に記憶・保持される。また、この未検像医療画像に該当する患者あるいは検診者の患者情報も、この未検像医療画像が作成される際にモダリティ１で作成され、この未検像医療画像のデータとともにネットワーク６を介して転送されてきて通信制御部１３で受信され、この未検像医療画像のデータと関連付けて磁気ディスク１２に記憶される。
【００１９】
マウス１９またはキーボード２０の操作、もしくは表示部１６の表示画面でのタッチ操作により、検査一覧画面の表示指令があると、ＣＰＵ１０の制御により、磁気ディスク１２からこの検査一覧画面のレイアウトが読み出されて表示メモリ１４に転送され、また、この磁気ディスク１２に記憶された各患者情報と検査情報とが読み出されて表示メモリ１４に転送されて検査一覧画面のレイアウトに付加される。これにより、検査一覧画面が作成され、表示部１６に表示される。
【００２０】
この検査一覧画面では、マウス１９やタッチパネルの操作とキーボード２０の操作により、患者情報の修正や削除を行なうことができ、また、患者情報の削除により、これに該当する検査情報も削除される。
【００２１】
また、この検査一覧画面で検査技師が所望とする患者情報を指定することにより、この指定された患者情報に該当する未検像医療画像が磁気ディスク１２から読み出されて表示メモリ１５に供給され、表示部１７に供給される。この表示部１７に表示された未検像医療画像は、その内容が検査技師によって確認され、あるいは修正などの加工がなされて検像される。この検像が終了すると、検査技師のマウス１９やタッチパネルの操作とキーボード２０の操作により、検像済み医療画像は、表示部１６に表示されている検査一覧画面での上記の指定された患者情報とともに、医療情報として、通信制御部１３からネットワーク６に出力され、画像サーバ４（図１）に転送されて保管される。また、これとともに、検査一覧画面での上記の指定された患者情報に該当する検査情報が、未検査状況から検査済み状況に更新される。
【００２２】
なお、以上の説明では、検像端末３をモダリティ１とは別体の装置としたが、モダリティ１と一体に組み合わせてもよい。
【００２３】
次に、検像端末３の画像表示装置３ａでの表示部１６に表示される検査一覧画面の具体例について説明する。
【００２４】
図３は図２での表示部１６に表示される検査一覧画面の第１の具体例を示す図であって、１６ａは表示部１６の表示画面、３０ａは検査一覧画面、３１は検査情報欄、３１ａは「技師」欄、３１ａ1は検像済みマーク、３１ａ2は未検像マーク、３１ｂは「医師」欄、３１ｂ1は閲覧済みマーク、３１ｂ2は未閲覧マーク、３２は患者情報欄、３２ａは「ＩＤ」欄、３２ｂは「名前」欄、３２ｃは「モダリティ」欄、３２ｄは「検査日」欄、３３ａ〜３３ｊは患者欄、３４はフォーカス表示、３５はスクロールバー、３６ａは「検索」ボタン、３６ｂは「検像開始」ボタン、３７は患者情報表示画面である。
【００２５】
同図において、図２に示す検像端末３が起動すると、表示部１６の表示画面１６ａに、図示しない初期画面を経て、検査一覧画面３０ａと患者情報表示画面３７とが表示される。
【００２６】
検査一覧画面３０ａでは、モダリティ１や画像ワークステーション２から未検像医療画像が供給される毎に、患者欄が作成されて付加され、このように付加された医療画像毎の患者欄３３ａ，３３ｂ，３３ｃ，……（以下、これらを総称して患者欄３３という）が縦方向に配列されたリストが表示される。
【００２７】
これら患者欄３３には、検査情報欄３１と患者情報欄３２とが設けられている。検査情報欄３１は、該当する医療画像が検像済みであるか否かを表わす「技師」欄３１ａと該当する検像済み画像が閲覧済みか否かを表わす「医師」欄３１ｂとからなる。この患者欄３３での「技師」欄３１ａでは、例えば、画像を表わすアイコンで示されるマークが付されており、医療画像が未検像である（即ち、未検像医療画像である）場合には、未検像マーク３１ａ2が、医療画像が検像済みである（即ち、検像済み医療画像である）場合には、検像済みマーク３１ａ1が夫々付される。これら検像マークは同じ形のマークであるが、無色の無細工の未検像マーク３１ａ2に対し、検像済みマーク３１ａ1は、例えば、特定の色で着色されたり、ハッチングされたりなどして、異なる表示形態で表示される。従って、モダリティ１や画像ワークステーション２（図１）から供給された医療画像が未検像である患者欄３３では、「技師」欄３１ａで未検像マーク３１ａ2が付され、この医療情報が検像されると、未検像マーク３１ａ2から検像済みマーク３１ａ1へ更新される。
【００２８】
患者欄３３の「医師」欄３１ｂでも、読影医師や診察医師などの医師を表わすアイコンで示されるマークが付されており、検像済み医療画像が未閲覧である（即ち、未閲覧医師療画像である）場合には、未閲覧マーク３１ｂ2が、医療画像が閲覧済みである（即ち、閲覧済み医療画像である）場合には、閲覧済みマーク３１ｂ1が夫々付される。これら閲覧マークは同じ形のマークであるが、無色の無細工の未閲覧マーク３１ｂ2に対し、閲覧済みマーク３１ｂ1は、例えば、特定の色で着色されたり、ハッチングされたりなどして、異なる表示形態で表示される。従って、画像サーバ４に保管されていて閲覧されていない検像済み医療画像に対する患者欄３３では、「医師」欄３１ｂで未閲覧マーク３１ｂ2が付され、この検像済み医療情報が画像ビューア５（図１）に供給されて閲覧されると、未閲覧マーク３１ｂ2から閲覧済みマーク３１ｂ1へ更新される。
【００２９】
患者情報欄３２では、患者のＩＤ（識別子）が記載された「ＩＤ」欄３２ａ，患者の氏名が記載された「名前」欄３２ｂ，使用されたモダリティの種類が記載された「モダリティ」欄３２ｃ，医療画像が撮影された検査日が記載された「検査日」欄３２ｄといった夫々も項目に患者の個人情報が表示される。例えば、患者欄３３ａは、ＩＤ＝００００００１で氏名が「Ａ田Ａ男」の患者が２００７年７月７日にＣＴで撮影された医療画像に対するものである。
【００３０】
このように、検査情報欄３１と患者情報欄３２とからなる患者欄３３の表示内容により、どの患者の医療画像が検像済みであるかどうか、また、閲覧済みがどうかを確認することができる。
【００３１】
ところで、各患者欄３３は、上側から医療画像が検像された順に、かつ閲覧された順に配列表示される。従って、図示する例では、患者欄３３ａ，３３ｂ，３３ｃ，……の順に患者欄３３ｇまでの医療情報が検像されたものであり、また、患者欄３３ａ，３３ｂの検像済み医療情報がこの患者欄３３ａ，３３ｂの順に閲覧されたものである。
【００３２】
そこで、医療情報が最後に検像された患者欄３３ｇの次に配列される患者欄３３ｈの未検像医療画像が次の検像処理の対象となるものであるが、このことを明示するために、この患者欄３３ｈが、例えば、その全体が特定の色でフォーカス表示３４とされている。なお、かかるフォーカス表示３４の代わりに、枠状のカーソルなど、他の表示方法を用いるようにしてもよい。
【００３３】
このフォーカス表示３４がなされた患者欄３３ｈに対しては、患者情報表示画面３７において、この患者欄３３ｈでの患者情報欄３２に記載される患者情報が拡大表示される。これにより、検像処理する未検像医療画像に対する患者情報の確認や修正を行なうことができる。
【００３４】
なお、スクロールバー３５を操作することにより、患者欄３３のリストを情報もしくは下方にスクロールさせることができ、これにより、これまで表示されていなかった患者欄３３を表示させることができる。
【００３５】
次の患者欄３３ｈに対する未検像医療画像を検像する場合には、図示される表示状態でマウス１９（図２）を操作して図示しないカーソルで「検索開始」ボタン３６ｂをクリック操作するか、あるいはタッチパネルが設けられているときには、この「検索開始」ボタン３６ｂをタッチ操作する（以下、かかる操作を検像指示操作という）。これにより、図４に示すように、この患者欄３３ｈに対する未検像医療画像が表示部１７の表示画面１７ａに表示され、検査技師はこの未検像医療画像の検像を行なうことができる。また、検査技師は、キーボード２０（図２）などを操作することにより、患者情報表示画面３７の表示内容を基に、この検像が行なわれる医療情報の患者欄３３ｈでの患者情報欄３２の修正などの処理をすることができるし、また、かかる患者欄３３ｈを削除することができる。なお、この患者欄３３ｈが削除された場合には、フォーカス表示３４は次の患者欄３３ｉに移り、この患者欄３３ｉに該当する未検像医療画像が次に検像されるものとなる。
【００３６】
なお、「検索」ボタン３６ａは、検索一覧画面３０ａで表示される患者欄３３を指定条件に応じて特定することができるようにするものであって、例えば、「検索」ボタン３６ａを操作することにより、「患者名」や「モダリティ」の種類などの条件が選択可能に表示され、それらのうちの１つを選択操作すると、例えば、条件「ＣＴ」を選択すると、ＣＴによって撮影された医療画像に関する患者欄３３のみが検査一覧画面に表示される状態となる。また、このような条件付けられた医療画像の患者欄のみが表示される検査一覧画面には、「戻る」ボタンも表示され、これを操作することにより、図３に示す全ての患者欄３３が表示される検査一覧画面３０ａの表示に戻る。
【００３７】
かかる検査一覧画面３０ａによると、患者の個人情報ばかりでなく、夫々の患者の医療画像の検像の状況や閲覧の状況を一目で確認することができる。
【００３８】
ところで、この検査一覧画面３０ａに示される状況では、閲覧されない検像済み医療画像が画像サーバ４（図１）に比較的多く保管されていることになり、検査技師としては、急いで他の患者の医療情報を検像しなくとも、読影医師の閲覧作業に支障を来さないと判断できる。
【００３９】
しかしながら、図５に示すように、患者欄３３ａ〜３３ｇの患者の医療画像が検像されているのに対し、患者欄３３ａ〜３３ｅの患者の検像済み医療画像が閲覧されて、これら検像済み医療画像のほとんどが閲覧されているときには、医者が必要とする医療情報を閲覧できないという事態も起こり得るものであり、この場合には、検査技師としては、急いで他の患者の医療情報を検像する必要があると判断できる。なお、勿論、図３に示す検査一覧表示画面３０ａでの検査情報欄３１での表示状態であっても、検査技師としては、次の患者欄３３ｇの未検像医療画像の検像を行なうこともできる。
【００４０】
なお、この第１の具体例では、検査情報欄３１を患者情報欄３２の左側に設けたが、この患者情報欄３２の右側に設けるようにしてもよい。後述する他の具体例についても、同様である。
【００４１】
このように、検査一覧画面３０ａに検査情報を表示する検査情報欄３１を設けることにより、検査技師に検像作業のタイミングを知らせることが可能となる。
【００４２】
図６は図２での表示部１６に表示される検査一覧画面の第２の具体例を示す図であって、３０ｂは検査一覧画面、３８は検像済み表示、３９は閲覧済み表示であり、図３に対応する部分には同一符号をつけて重複する説明を省略する。
【００４３】
同図において、検査一覧画面３０ｂでは、患者欄３３に設定される項目が患者情報欄３２の上記の項目欄３２ａ〜３２ｄであり、検査情報は患者欄３３の検像済み表示３８や閲覧済み表示３９で表わされるものである。ここで、検像済み表示３８と閲覧済み表示３９とは、患者欄３３での背景を互いに異なる表示色で表示するものである。勿論、この背景を白などの同じ色とし、この背景に表示する個人情報を表わす文字の色を異ならせるようにしてもよい。
【００４４】
この検査一覧画面３０ｂでは、患者欄３３ａ〜３３ｇの医療情報が検像済み医療情報であり、そのうちの患者欄３３ａ〜３３ｃの検像済み医療情報が閲覧済み医療情報である。そこで、患者欄３３ａ〜３３ｃが閲覧済み表示３９で表示され、患者欄３３ｄ〜３３ｇが検像済み表示３８で表示される。
【００４５】
なお、未検像医療画像に対する患者欄３３ｈ〜３３ｊは、色表示がなされず、通常の白黒表示がなされる。また、医療情報が未検像のうちの先頭に表示される患者欄３３ｈには、図３，図５に示す検査一覧画面３０ａと同様、フォーカス表示３４がなされており、患者欄３３ｈについて「検像開始」ボタン３６ｂで検像指示操作することにより、図４に示すように、表示部１７の表示画面１７ａにこの患者欄３３ｈに対する未検像医療画面が表示されてその検像が可能となるし、また、患者情報表示画面３７で確認しながら、この患者欄３３ｈでの患者情報の修正やこの患者欄３３ｈの削除をすることができる。
【００４６】
このように、この第２の具体例では、先の第１の具体例と同様の効果が得られるとともに、患者欄３３全体に検像済み表示３８と閲覧済み表示３９がなされるので、医療画像が検像された患者や医療画像が閲覧された患者の確認がよりし易くなる。
【００４７】
図７は図２での表示部１６に表示される検査一覧画面の第３の具体例を示す図であって、３０ｃは検査一覧画面、３１ａ3は検像済みマーク、３１ｂ3は閲覧済みマーク、３１ｂ4は読影医師情報であり、図３に対応する部分には同一符号をつけて重複する説明を省略する。
【００４８】
同図において、検査一覧画面３０ｃでは、各患者欄３３に、患者情報欄３２とともに、「技師」欄３１ａと「医師」欄３１ｂとからなる検査情報欄３１を設けたものであるが、この「検像」欄３１ａには、医療画像が検像済みの患者欄３３に対してのみ、「レ」字状の検像済みマーク３１ａ3が表示され、この「医師」欄３１ｂでは、検像済み医療画像が閲覧された患者欄３３に対してのみ、「レ」字状の閲覧済みマーク３１ｂ3とともに、閲覧した医師を表わす氏名などの情報（読影医師情報）３１ｂ4も表示するものである。未検像医療画像に対する患者欄３３では、例えば、患者欄３３ｉのように、その「技師」欄３１，「医師」欄３２に何のマークも表示されないし、検像済みでかつ未閲覧の医療情報に対する患者欄３３では、例えば、患者欄３３ｇのように、「技師」欄３１に検像済みマーク３１ａ3が表示されるが、「医師」欄３２では、何も表示されない。
【００４９】
これ以外は図３などに示した検査一覧画面の具体例と同様であり、かかる具体例と同様の効果が得られるし、また、閲覧された医療画像に対しては、その患者欄３３にそれを閲覧した読影医師情報３１ｂ4が表示されるので、検査技師は読影医療画像毎に閲覧した読影医師までも確認することができる。
【００５０】
なお、図３及び図６に示す具体例においても、読影医療画像毎に上記と同様の読影医師療情報３１ｂ4を表示するようにしてもよい。また、検査一覧画面３０ｃにおいて、検査情報欄３１を、図３に示す具体例のように、患者情報欄３２の左側に設けるようにしてもよい。
【００５１】
図８は図２での表示部１６に表示される検査一覧画面の第４の具体例を示す図であって、３０ｄは検査一覧画面、３１ｃは「経過時間」欄、３１ｃ1は経過時間バーであり、図３に対応する部分には同一符号をつけて重複する説明を省略する。
【００５２】
同図において、検査一覧画面３０ｄは、検査情報欄３１に、「技師」欄３１ａ，「医師」欄３１ｂに加え、「経過時間」欄３１ｃを設けたものである。この「経過時間」欄３１ｃは、この検像端末３に未検像医療画像が供給されてからの時間経過を黒バーで示す経過時間バー３１ｃ1の長さで表示するものであって、経過時間が長く、いつまでも検像されない場合には、この経過時間バー３１ｃ1が長く表示される。また、医療画像の検像が終了すると、経過時間バー３１ｃ1の長さがその時点での長さに固定される。
【００５３】
これにより、検査技師としては、未検像医療画像がモダリティ１や画像ワークステーション２から供給されてどの位時間が経過しているかを知ることができるし、また、これによってこの未検像医療画像の検像を行なう時期を決めることができるし、さらに、検像された医療画像に対しては、未検像の医療画像を受けてからどの位時間が経過したときに検像をしたかといった検像時期の傾向も把握することができる。
【００５４】
これ以外の構成は、図３に示す第１の具体例と同様である。
【００５５】
なお、ここでは、検像済みマーク３１ａ1，未検像マーク３１ａ2を「○」，「×」のマークとし、閲覧済みマーク３１ｂ1，未閲覧マーク３１ｂ2も同様としたが、これに限るものでなく、例えば、図３に示す具体例で用いられているマークを用いるようにしてもよい。
【００５６】
この第４の具体例では、図３に示した第１の具体例と同様の効果が得られるし、また、モダリティ１や画像ワークステーション２から供給されてからあまり時間が経過しないうちに未検像医療画像の検像を行なうことが可能となる。上記のように、閲覧されない検像済み医療画像が画像サーバ４で多く残っている場合には、未検像医療が像の検像を急ぐ必要はないが、それでも、読影医師は１人ではなく、通常複数人居るものであって、夫々の読影医師としては、１つの医療画像の閲覧が完了すると、直ちに次の医療画像の閲覧に入る場合もあり、検査技師としては、このような読影医師の作業が円滑に行なわれるようにすることも必要である。このために、検査技師としては、未検像医療画像を滞りなく検像する必要があり、この第４の具体例は、検査情報として「経過時間」欄３１ｃを設けることにより、検像するまでに余り時間が掛からないようにして、確実に未検像医療画像の検像に滞りが生じないようにすることができる。
【００５７】
図９は図２での表示部１６に表示される検査一覧画面の第５の具体例を示す図であって、３０ｅは検査一覧画面、４０ａ，４０ｂ経過時間バーであり、図３に対応する部分には同一符号をつけて重複する説明を省略する。
【００５８】
同図において、検査一覧画面３０ｄは、患者情報欄３２に未検像医療画像が供給されてからの時間経過を示す経過時間バー４０ａ，４０ｂを重畳して表示するものである。
【００５９】
ここで、経過時間バー４０ａは、検像済み医療画像の患者欄３３に対するものであり、経過時間バー４０ｂは未検像医療画像の患者欄３３に対するものであって、これら経過時間バー４０ａ，４０ｂは、濃淡や色などによって表示形態を異ならせている。ここでは、一例として、経過時間バー４０ａは薄く、経過時間バー４０ｂは濃くして、濃淡が異なるようにしている。
【００６０】
また、この第５の具体例では、閲覧された医療画像に対する患者欄は検査一覧画面３０ｅの患者欄３３のリストから削除されて表示されない。ここでは、患者欄３３ａ〜３３ｃが、これらに該当する検像済み医療画像が閲覧されたものとして、表示から除かれたものとしている。このように、医療画像が閲覧された患者欄３３が除かれても、未閲覧医療画像に対する患者欄３３が表示されるので、医療画像が閲覧された患者欄３３も表示されている図３，図５に示した先の具体例と同様に、検査技師に次の未検像医療画像の検像作業のタイミングを知らせることが可能となる。
【００６１】
なお、先に示した各具体例においても、閲覧済みの医療画像に対する患者欄３３をリストから削除し、未検像医療画像及び未閲覧の検像済み医療画像の患者欄３３のみをリストに表示するようにしてもよい。この場合には、「医師」欄３１ｂは設けられない。
【００６２】
これ以外の構成は、図３に示す第１の具体例と同様であり、図８に示した第４の具体例と同様の効果が得られる。
【００６３】
なお、以上の検査一覧画面３０ａ〜３０ｅでは、未検像医療画面が供給される順に患者欄３０が配列表示されるものとして説明したが、緊急を要する未検像医療画像に対しては、マウス１９やキーボード２０（図２）の操作により、その患者欄３３を直ちにフォーカス表示３４でフォーカスされる位置に割り込み設定し、直ちに検像することができるようにすることもできる。
【００６４】
図１０は図８に示す検査一覧画面３０ｄでこれまでに供給された医療画像よりも遅れてモダリティ１（図１）などから供給された緊急に検査を要する未検像医療情報に対する患者欄３３ｘを割り込ませて表示した状態を示すものであって、このような割り込みの患者欄３３ｘは、未検像医療画像に対する患者欄３３の先頭、即ち、順番として、次に検像が行なわれる位置に拡大表示される。かかる割り込みが行なわれなければ、最新の検像医療画像に対する患者欄３３ｆに未検像医療画像に対する患者欄３３ｇ，３３ｈが続くことになるが、かかる割り込みにより、患者欄３３ｘが患者欄３３ｆと患者欄３３ｇとの間に割り込み配置され、これにフォーカス表示３４がなされる。
【００６５】
また、このように割り込みがなされた患者欄３３ｘに該当する未検像医療画像は、通常検査に緊急を要するものであり、このことから、この旨を通知する、例えば、「緊急検査」といったメッセージがこの患者欄３３ｘに表示され、また、未検像医療画像を現時点から検像処理すべき期限となる時間を、例えば、「５分以内」というように、表示する。また、スピーカ２１（図２）で緊急に検像処理すべき未検像医療画像があることのメッセージを通知するようにしてもよい。
【００６６】
このようにして、緊急に検像処理すべき未検像医療画像があることを検査技師に知らせることができ、検査技師はこれに即座に対応することが可能となる。
【００６７】
なお、このような未検像医療画像に対する検査（検像）の緊急指示はモダリティ１で行なわれ、モダリティ１または画像ワークステーション２から検像端末３に生成された未検像医療画像が送られるときに、この未検像医療画像や患者情報とともに送られるものであり、この緊急指令により、検査一覧画面でこれに該当する患者欄３３ｘの上記の割り込みが自動的に行なわれる。また、既に検査一覧画面３０ａ〜３０ｅで配列表示されている未検像医療画像の患者欄３３に対しても、その後、検査に緊急を要するようになった未検像医療画像に対し、その該当する患者欄３３を指定（クリックまたはタッチ）することにより、優先的に処理を行なうことができる。
【００６８】
また、この患者欄の割り込みを図８に示す具体例を例にして説明したが、他の具体例に対しても同様である。
【００６９】
以上のように、上記実施形態によると、検査一覧画面で、夫々の患者欄において、検像済み医療画像の患者欄で医療画像が検像済みであることを表示するとともに、閲覧済み医療画像の患者欄で医療画像が閲覧済みであることも表示されるので、この検査一覧画面で検査技師が各医療画像の検像状況と閲覧状況とを容易に把握することができ、かかる状況に応じて次の未検像医療画像の検像処理の時期を容易に把握することができるし、また、未検像医療画像が供給されてからの経過時間も表示されることにより、かかる未検像医療画像の検像処理の時期を容易に把握することができ、医師の閲覧作業を円滑に行なわせることが可能となる。
【図面の簡単な説明】
【００７０】
【図１】本発明による医療検査システムの一実施形態を示すシステム構成図である。
【図２】図１における検像端末を例とした本発明による医療情報のステータス表示装置の一実施形態を示すブロック構成図である。
【図３】図２での表示部１６に表示される検査一覧画面の第１の具体例を示す図である。
【図４】図２における表示部１７に表示される未検像医療画像の一具体例を示す図である。
【図５】図３に示す検索一覧画面の第１の具体例の他の表示状態を示す図である。
【図６】図２での表示部１６に表示される検査一覧画面の第２の具体例を示す図である。
【図７】図２での表示部１６に表示される検査一覧画面の第３の具体例を示す図である。
【図８】図２での表示部１６に表示される検査一覧画面の第４の具体例を示す図である。
【図９】図２での表示部１６に表示される検査一覧画面の第５の具体例を示す図である。
【図１０】図８に示す検査一覧画面３０ｄで患者欄を割り込ませて表示した状態を示す図である。
【符号の説明】
【００７１】
１  モダリティ
２  画像ワークステーション
３  検像端末
３ａ，３ｂ  画像表示装置
４  画像サーバ
５  画像ビューア
６  ネットワーク
１０  ＣＰＵ
１１  主メモリ
１２  磁気ディスク
１３  通信制御部
１４，１５  表示メモリ
１６，１７  表示部
１８  コントローラ
１９  マウス
２０  キーボード
２１  スピーカ
２２  内部バス
３０ａ〜３０ｅ  検査一覧画面
３１  検査情報欄
３１ａ  「技師」欄
３１ａ1，３１ａ3  検像済みマーク
３１ａ2  未検像マーク
３１ｂ  「医師」欄
３１ｂ1，３１ｂ3  閲覧済みマーク
３１ｂ2  未閲覧マーク
３１ｂ4  読影医師情報
３１ｃ  「経過時間」欄
３１ｃ1  経過時間バー
３２  患者情報欄
３２ａ  「ＩＤ」欄
３２ｂ  「名前」欄
３２ｃ  「モダリティ」欄
３２ｄ  「検査日」欄
３３ａ〜３３ｊ，３３ｘ  患者欄
３４  フォーカス表示
３５  スクロールバー
３６ａ  「検索」ボタン
３６ｂ  「検像開始」ボタン
３７  患者情報表示画面
３８  検像済み表示
３９  閲覧済み表示
４０ａ，４０ｂ  経過時間バー
【図１】
0005258246.tif 000002
【図２】
0005258246.tif 000003
【図３】
0005258246.tif 000004
【図４】
0005258246.tif 000005
【図５】
0005258246.tif 000006
【図６】
0005258246.tif 000007
【図７】
0005258246.tif 000008
【図８】
0005258246.tif 000009
【図９】
0005258246.tif 000010
【図１０】
0005258246.tif 000011